(57)【特許請求の範囲】
【請求項１】
整髪用鋏（１）において、
相互に枢設された第１カット手段と第２カット手段であり、該第１カット手段が第１ハンドル（１１）をその第１端に具えると共に、第２端に第１ブレード（１０）を具え、第２カット手段が、第２ハンドル（２１）をその第１端に具えると共に、第２端に第２ブレード（２０）を具え、貫通孔（１２）が第１ハンドルと第２ハンドルの少なくとも一方に形成された、上記第１カット手段と第２カット手段と、
連結ブロック（４０）であり、上記貫通孔（１２）に取り付けられ、あり溝（４１）をその第１側に具えると共に、第１側と反対に位置する第２側に形成された二つの鳩尾ブロック（４３、４５）を具え、連結ブロック（４０）の第１側が、二つの相互に離れた横溝（４２）を具え、該横溝（４２）があり溝（４１）と交叉し、これにより、あり溝（４１）が第１結合区（４１ａ）、第１挿入区（４１ｂ）、第２結合区（４１ｃ）、第２挿入区（４１ｄ）、及び第３結合区（４１ｅ）に順に分けられた、上記連結ブロック（４０）と、
を具え、一組の整髪用鋏（１）の連結ブロック（４０）の鳩尾ブロック（４３、４５）がもう一組の整髪用鋏（１）の連結ブロック（４０）のあり溝（４１）に結合される時、一組の整髪用鋏組（１）の鳩尾ブロック（４３、４５）がもう一組の整髪用鋏（１）の各連結ブロック（４０）の第１挿入区（４１ｂ）と第２挿入区（４１ｄ）に挿入され、それから一組の整髪用鋏（１）の連結ブロック（４０）の鳩尾ブロック（４３、４５）が第１位置と第２位置に動かされ、そのうち第１位置において、一方の整髪用鋏（１）の鳩尾ブロック（４３、４５）がもう一方の整髪用鋏（１）の対応する連結ブロック（４０）の第１結合区（４１ａ）と第２結合区（４１ｃ）に連結され、第１ブレード（１０）と第２ブレード（２０）のチップが直線に沿って整合し同一レベルに位置し、第２位置において、一方の整髪用鋏（１）の鳩尾ブロック（４３、４５）がもう一方の整髪用鋏（１）の対応する連結ブロック（４０）の第２結合区（４１ｃ）と第３結合区（４１ｅ）に連結され、第１ブレード（１０）と第２ブレード（２０）のチップが斜線に沿って整合し異なるレベルに位置することを特徴とする、整髪用鋏。
【発明の詳細な説明】
【０００１】
【発明の属する技術分野】
本発明は一種の整髪用鋏組合せ構造に係り、特に鳩尾形部分の連結により分離可能に結合された複数の鋏を具えて整髪目的に供される、整髪用鋏組合せ構造に関する。
【０００２】
【従来の技術】
ヘアスタイリストは顧客の髪をいくつかのテクニック、例えばトミング、すき入れ、段づけなどの技術でカットする。ヘアスタイリストは複数の鋏を同じ手に持って、望みの特殊なヘアスタイルを得るために、削ぎや段づけを完成させる。
【０００３】
複数の鋏を同じ手で操作する間、使用者は複数の鋏を通常の間隔を開けて保持し並びにそれらを同じ操作状態で操作しなければならない。複数の鋏が同時に開閉されることにより、きれいな、素晴らしいヘアスタイルが得られる。しかし、複数の鋏は単に人指し指と親指に保持され、このため複数の鋏が指により接触式にコントロールされるため、複数の鋏を同時にコントロールできない。このため、複数の鋏はしばしば他に対して斜めになり、それらの間の間隙が他に対して異なってしまい、整髪の結果に影響が生じる。そしてこの問題はもし使用者に経験がない場合、厳重となる。使用者はしばしば複数の鋏を操作するのに痛みを感じたり、加えて、複数の制限と困難が操作にあった。
【０００４】
米国特許第６，１９２，５９０号には整髪用鋏の組合せ構造は、上述の問題を解決している。しかし、複数の鋏を連結するためのＬ形結合手段及び結合ブロックのＬ形スロットはトラブルが多く、コストがかかった。
【０００５】
【発明が解決しようとする課題】
本発明は一種の整髪用鋏組合せ構造を提供することを課題とし、それは複数の鋏を具え、各鋏は、特に鳩尾形部分の連結により分離可能に結合され、特殊な整髪目的に供される、整髪用鋏組合せ構造であるものとする。
【０００６】
【課題を解決するための手段】
請求項１の発明は、整髪用鋏（１）において、
相互に枢設された第１カット手段と第２カット手段であり、該第１カット手段が第１ハンドル（１１）をその第１端に具えると共に、第２端に第１ブレード（１０）を具え、第２カット手段が、第２ハンドル（２１）をその第１端に具えると共に、第２端に第２ブレード（２０）を具え、貫通孔（１２）が第１ハンドルと第２ハンドルの少なくとも一方に形成された、上記第１カット手段と第２カット手段と、
連結ブロック（４０）であり、上記貫通孔（１２）に取り付けられ、あり溝（４１）をその第１側に具えると共に、第１側と反対に位置する第２側に形成された二つの鳩尾ブロック（４３、４５）を具え、連結ブロック（４０）の第１側が、二つの相互に離れた横溝（４２）を具え、該横溝（４２）があり溝（４１）と交叉し、これにより、あり溝（４１）が第１結合区（４１ａ）、第１挿入区（４１ｂ）、第２結合区（４１ｃ）、第２挿入区（４１ｄ）、及び第３結合区（４１ｅ）に順に分けられた、上記連結ブロック（４０）と、
を具え、一組の整髪用鋏（１）の連結ブロック（４０）の鳩尾ブロック（４３、４５）がもう一組の整髪用鋏（１）の連結ブロック（４０）のあり溝（４１）に結合される時、一組の整髪用鋏組（１）の鳩尾ブロック（４３、４５）がもう一組の整髪用鋏（１）の各連結ブロック（４０）の第１挿入区（４１ｂ）と第２挿入区（４１ｄ）に挿入され、それから一組の整髪用鋏（１）の連結ブロック（４０）の鳩尾ブロック（４３、４５）が第１位置と第２位置に動かされ、そのうち第１位置において、一方の整髪用鋏（１）の鳩尾ブロック（４３、４５）がもう一方の整髪用鋏（１）の対応する連結ブロック（４０）の第１結合区（４１ａ）と第２結合区（４１ｃ）に連結され、第１ブレード（１０）と第２ブレード（２０）のチップが直線に沿って整合し同一レベルに位置し、第２位置において、一方の整髪用鋏（１）の鳩尾ブロック（４３、４５）がもう一方の整髪用鋏（１）の対応する連結ブロック（４０）の第２結合区（４１ｃ）と第３結合区（４１ｅ）に連結され、第１ブレード（１０）と第２ブレード（２０）のチップが斜線に沿って整合し異なるレベルに位置することを特徴とする、整髪用鋏としている。
【０００７】
【発明の実施の形態】
図１は本発明の第１実施例を示し、それは、複数組の鋏１を具え、各鋏１は、ピボット３０により相互に枢設された第１カット手段と第２カット手段を具えている。第１カット手段は第１ハンドル１１をその第１端に具えると共に、第２端に第１ブレード１０を具えている。第２カット手段は、第２ハンドル２１をその第１端に具えると共に、第２端に第２ブレード２０を具えている。各ブレード１０、２０はチップ１６、２６を具えている。該第１及び第２カット手段はその中間部分で相互に枢設されている。もちろん、各ハンドル１１、２１は使用者の親指或いは人指し指を通すための開口（符号なし）を具えている。
【０００８】
少なくとも一つの第１ハンドル１１と第２ハンドル２１はその内側に画定されて第１側１１ａ、２１ａから第１側１１ａ、２１ａと反対側の第２側１１ｂ、２１ｂへと延伸された貫通孔１２を具えている。少なくとも一つの連結ブロック４０が貫通孔１２に固定されて二組の鋏１を連結するのに供される。この実施例では、各第１ハンドル１１及び第２ハンドル２１が連結ブロック４０を収容するための貫通孔１２を具えている。
【０００９】
図２に示されるように、各連結ブロック４０はあり溝４１をその第１側に具えると共に、第１側と反対に位置する第２側に形成された二つの鳩尾ブロック４３、４５を具えている。さらに、二つの相互に離れた横溝４２が各連結ブロック４０の第１側に形成されてあり溝４１と交叉し、これによりあり溝４１が第１結合区４１ａと第１挿入区４１ｂ、第２結合区４１ｃ、第２挿入区４１ｄ、及び第３結合区４１ｅに順に分けられている。各連結ブロック４０が貫通孔１２に取り付けられる時、鳩尾ブロック４３、４５は各ハンドル１１、１２の第２側１１ｂ、２１ｂより突出し、連結ブロック４０の第１側は各ハンドル１１、１２の第１側１１ａ、２１ａと同じ高さとなる。これは図１に示されるとおりである。
【００１０】
一組の鋏１をもう一組の鋏１と連結させる時、一組の鋏１の各連結ブロック４０の鳩尾ブロック４３、４５はそれぞれもう一組の鋏１の各連結ブロック４０の挿入区４１ｂ、４１ｄに挿入される。これは図３に示されるとおりである。それから、二組の鋏１の右の一組が、左の一組に対して上に動かされ、右の鋏１の連結ブロック４０の鳩尾ブロック４３、４５が左側の鋏１の対応する連結ブロック４０の第１及び第２結合区４１ａ及び４１ｃに連結並びに保持される。こうして、図４に示される整髪用鋏組合せ構造が形成される。そのうち、整髪用鋏１のチップ１６及び２６は直線に沿って整合され同一レベルに位置づけられている。或いは、二組の鋏１の右の一組が、左の一組に対して下に動かされ、右の鋏１の連結ブロック４０の鳩尾ブロック４３、４５が左側の鋏１の対応する連結ブロック４０の第２及び第３結合区４１ｃ及び４１ｅに連結並びに保持される。こうして、図５に示される整髪用鋏組合せ構造が形成される。そのうち、整髪用鋏１のチップ１６及び２６は斜線に沿って整合され異なるレベルに位置づけられている。
【００１１】
図６は本発明の第２実施例の整髪用鋏組合せ構造を示し、その連結ブロックは第１実施例と異なっている。この実施例では、図７に示されるように、各連結ブロック５０がその第１側にあり溝５１を具え、この第１側と反対の第２側の上端に鳩尾ブロック５３が形成されている。あり溝５１は鳩尾形連結区５５とその下方に位置し鳩尾形連結区５５の最大幅と同じ幅を具えた挿入区５２を具えている。これは図８に示されるとおりである。
【００１２】
一組の鋏１をもう一組の鋏１に連結させるとき、一方の鋏１の各連結ブロック５０の鳩尾ブロック５３はもう一組の鋏１の連結ブロック５０の挿入溝５２に挿入され、これは図９に示されるとおりである。それから、二組の相互に連結される鋏１のうち、右のものが左のものに対して上に動かされ、右の鋏１の連結ブロック５０の鳩尾ブロック５３が左の鋏１の連結ブロック５０の鳩尾形連結区５５に結合され保持される。こうして図１０に示されるような整髪用鋏組合せ構造が完成する。そのうち、整髪用鋏１のチップ１６及び２６は直線に沿って整合され同一レベルに位置づけられている。
【００１３】
図１１は本発明の第３実施例の整髪用鋏組合せ構造を示す。その第２実施例との違いは連結ブロックにある。この実施例では、図１２に示されるように、連結ブロック６０はその第１側にあり溝６１を具え、この第１側と反対の第２側の下端に鳩尾ブロック６３が形成されている。あり溝６１は鳩尾形連結区６５とその下方に位置し鳩尾形連結区６５の最大幅と同じ幅を具えた挿入区６２を具えている。
【００１４】
一組の鋏１をもう一組の鋏１に連結させるとき、一方の鋏１の各連結ブロック６０の鳩尾ブロック６３はもう一組の鋏１の連結ブロック６０の挿入溝６２に挿入され、これは図１３に示されるとおりである。それから、二組の相互に連結される鋏１のうち、右のものが左のものに対して上に動かされ、右の鋏１の連結ブロック６０の鳩尾ブロック６３が左の鋏１の連結ブロック６０の鳩尾形連結区６５に結合され保持される。こうして図１４に示されるような整髪用鋏組合せ構造が完成する。そのうち、整髪用鋏１のチップ１６及び２６は斜線に沿って整合され異なるレベルに位置づけられている。
【００１５】
以上は本発明の好ましい実施例の説明であり、これらは本発明の実施範囲を限定するものではなく、本発明に基づきなしうる細部の修飾或いは改変は、いずれも本発明の請求範囲に属するものとする。
【００１６】
【発明の効果】
本発明は予期された目的及び作用効果を達成し、増進された機能を有し、ゆえに特許の要件を具備している。
【図面の簡単な説明】
【図１】本発明の第１実施例の整髪用鋏組合せ構造の分解図である。
【図２】図１の二組の整髪用鋏の二つの連結ブロックの斜視図である。
【図３】図１の整髪用鋏組合せ構造の第１実施例の組合せ手順を説明する側面部分断面図である。
【図４】図３に類似の側面部分断面図であるが、整髪用鋏のチップは直線に沿って整合され同一レベルに配置されている。
【図５】図３に類似の側面部分断面図であるが、整髪用鋏のチップは斜線に沿って整合され異なるレベルに配置されている。
【図６】本発明の第２実施例の分解図である。
【図７】図６の二組の整髪用鋏の二つの連結ブロックの斜視図である。
【図８】図７の連結ブロックの底面図である。
【図９】図６の整髪用鋏組合せ構造の第２実施例の組合せ手順を説明する側面部分断面図である。
【図１０】図９に類似の側面部分断面図であるが、整髪用鋏のチップは直線に沿って整合され同一レベルに配置されている。
【図１１】本発明の第３実施例の分解図である。
【図１２】図１１の二組の整髪用鋏の二つの連結ブロックの斜視図である。
【図１３】図１１の整髪用鋏組合せ構造の第２実施例の組合せ手順を説明する側面部分断面図である。
【図１４】図１３に類似の側面部分断面図であるが、整髪用鋏のチップは斜線に沿って整合され異なるレベルに配置されている。
【符号の説明】
（１）  整髪用鋏
（１１）  第１ハンドル
（１０）  第１ブレード
（２１）  第２ハンドル
（２０）  第２ブレード
（１２）  貫通孔
（４０、５０、６０）  連結ブロック
（４１、５１、６１）  あり溝
（４３、４５、５３、６３）  鳩尾ブロック
（５５、６５）  鳩尾形連結区
（５２、６２）  挿入区
（４１ａ）  第１結合区
（４１ｂ）  第１挿入区
（４１ｃ）  第２結合区
（４１ｄ）  第２挿入区
（４１ｅ）  第３結合区
【図１】
0003581847.tif 000002
【図２】
0003581847.tif 000003
【図３】
0003581847.tif 000004
【図４】
0003581847.tif 000005
【図５】
0003581847.tif 000006
【図６】
0003581847.tif 000007
【図７】
0003581847.tif 000008
【図８】
0003581847.tif 000009
【図９】
0003581847.tif 000010
【図１０】
0003581847.tif 000011
【図１１】
0003581847.tif 000012
【図１２】
0003581847.tif 000013
【図１３】
0003581847.tif 000014
【図１４】
0003581847.tif 000015